(57)【要約】【課題】電球に被せられたシェードが建物の梁や桁などから吊り下げられた電灯用コードやチェーンなどに取り付けられている場合に、その電球のシェードを動かないように挟持し、電球交換具の操作棒の上端に設けられた挟み部で電球を挟むときに、そのシェードと一緒に逃げないようにして、電球を挟み込むことができるようにした電球交換用シェード挟持具を提供する。【解決手段】長尺の操作体１と、操作体１の上端に設けられる一対のアーム体２ａからなる挟持アーム２を備え、挟持アーム２の一対のアーム体２ａは、電球ＢのシェードＳを移動しないように挟持できるものとしており、一対のアーム体２ａの一方に連結された操作線条３により、操作体１の下端側からの遠隔操作によって、シェードＳを挟持した状態にしたり、このシェードＳの挟持を解除した状態にするようにしている。【選択図】図６
2010272464.tif 000002
【特許請求の範囲】
【請求項１】
長尺の操作体（１）と、この操作体（１）の上端に設けられる一対のアーム体（２ａ）からなる挟持アーム（２）を備え、この挟持アーム（２）の一対のアーム体（２ａ）は、電球（Ｂ）のシェード（Ｓ）を移動しないように挟持できるものとしており、一対のアーム体（２ａ）の一方に連結された操作線条（３）により、前記操作体（１）の下端側からの遠隔操作によって、前記シェード（Ｓ）を挟持した状態にしたり、このシェード（Ｓ）の挟持を解除した状態にするようにしたことを特徴とする電球交換用シェード挟持具。
【請求項２】
前記一対のアーム体（２ａ）は、先端部にそれぞれ挟持部材（５）を設け、基端部をそれぞれ軸支して、この軸支部に設けたバネ（７）によってそれぞれのアーム体（２ａ）の先端部が閉鎖した状態になるようにし、前記操作線条（３）を下方に引くことによって、前記バネ（７）によって閉鎖した前記アーム体（２ａ）の先端部がそれぞれ開放した状態になるようにしたことを特徴とする請求項１記載の電球交換用シェード挟持具。
【請求項３】
前記一対のアーム体（２ａ）は、先端部にそれぞれ挟持部材（５）を設け、基端部をそれぞれ軸支して、この軸支部に設けたバネ（７）によってそれぞれのアーム体（２ａ）の先端部が開放した状態になるようにし、前記操作線条（３）を下方に引くことによって、前記バネ（７）によって開放した前記アーム体（２ａ）の先端部がそれぞれ閉鎖した状態になるようにしたことを特徴とする請求項１記載の電球交換用シェード挟持具。
【請求項４】
前記一対のアーム体（２ａ）の一方を、前記操作体（１）の上端に固着することにより、前記挟持アーム（２）を操作体（１）の上端に設けたものとし、この一方のアーム体（２ａ）を、前記操作体（１）の軸線方向に適宜の角度、傾斜させたものとしたことを特徴とする請求項１記載の電球交換用シェード挟持具。
【発明の詳細な説明】
【技術分野】
【０００１】
この発明は、高い天井などに吊り下げられた照明器具の電球の交換の際に、その照明器具のシェードを揺れないように挟持しておくための電球交換用シェード挟持具に関するものである。
【背景技術】
【０００２】
従来、高い天井などに配置された電球の交換の際には、電球交換具Ｅを使用している。この電球交換具Ｅは、例えば図１３に示したように、長い竿などとした操作棒３１と、この操作棒３１の上端に設けられる弾性部材からなる電球挟み部３２とから構成されたものなどとしている（特許文献１、特許文献２、非特許文献１）。
【０００３】
この電球交換具Ｅは、操作棒３１の下端を手に握り、挟み部３２を高い天井などに配置された電球の真下に近付け、この電球を挟み込む。次に、操作棒３１を回転させて、この電球を天井などから外し、手元に引き寄せ、挟み部３２から取り去る。そして、新しい電球をその挟み部３２に挟み込み、天井などの元の位置に戻し、再び操作棒３１を回転させながら、この新しい電球を天井などの元に位置に取り付けるようにしている。
【０００４】
さらに、前記電球交換具Ｅを使用しない場合には、電球の直下に高所作業台を組立設置し、その上に作業者が乗って電球交換をしていた。また、高所作業台を組立設置する代わりに、高所作業車を現場に導入する場合もある。
【先行技術文献】
【特許文献】
【０００５】
【特許文献１】特開平７−１４５５９号公報
【特許文献２】特開平１０−２７５８３号公報
【非特許文献】
【０００６】
【非特許文献１】ジェフコム株式会社、２００９年版「総合カタログ」Ｖｏｌ. １６（第１７８ページ）
【発明の概要】
【発明が解決しようとする課題】
【０００７】
しかしながら、上記従来の電球交換具Ｅでは、天井などに配置された電球に被せられたシェードが、建物の梁や桁などに直接、固定されている場合には、操作棒３１の上端に設けられた挟み部３２で電球を挟むときにもその電球が逃げることなく問題がない。しかし、図１３に示したように、そのシェードＳが建物の梁や桁などから吊り下げられた電灯用コードやチェーンなどに取り付けられている場合には、その挟み部３２で電球Ｂを挟もうとすると、その電球ＢがシェードＳと一緒に逃げてしまい、挟むことができないという問題点を有する。
【０００８】
さらに、上記従来の高所作業台を組立設置する場合には、その作業台を組立設置するために、ある程度広い平らなスペースが必要であり、どこでも可能ということはなかった。また、この高所作業台を組立設置したり、高所作業車を現場に導入する場合には、いずれも広い場所が必要であるばかりか、作業時間もかなりかかり、人件費と設備費用を考慮すると、高額な費用負担となっていた。
【０００９】
そこで、この発明は、電球に被せられたシェードが建物の梁や桁などから吊り下げられた電灯用コードやチェーンなどに取り付けられている場合に、その電球のシェードを動かないように挟持し、電球交換具の操作棒の上端に設けられた挟み部で電球を挟むときに、そのシェードと一緒に逃げないようにして、電球を挟み込むことができるようにした電球交換用シェード挟持具を提供することを目的としてなされたものである。
【課題を解決するための手段】
【００１０】
この発明の電球交換用シェード挟持具は、長尺の操作体１と、この操作体１の上端に設けられる一対のアーム体２ａからなる挟持アーム２を備え、この挟持アーム２の一対のアーム体２ａは、電球ＢのシェードＳを移動しないように挟持できるものとしており、一対のアーム体２ａの一方に連結された操作線条３により、前記操作体１の下端側からの遠隔操作によって、前記シェードＳを挟持した状態にしたり、このシェードＳの挟持を解除した状態にするようにしている。
【００１１】
この発明の電球交換用シェード挟持具において、前記一対のアーム体２ａは、先端部にそれぞれ挟持部材５を設け、基端部をそれぞれ軸支して、この軸支部に設けたバネ７によってそれぞれのアーム体２ａの先端部が閉鎖した状態になるようにし、前記操作線条３を下方に引くことによって、前記バネ７によって閉鎖した前記アーム体２ａの先端部がそれぞれ開放した状態になるようにしている。
【００１２】
この発明の電球交換用シェード挟持具において、前記一対のアーム体２ａは、先端部にそれぞれ挟持部材５を設け、基端部をそれぞれ軸支して、この軸支部に設けたバネ７によってそれぞれのアーム体２ａの先端部が開放した状態になるようにし、前記操作線条３を下方に引くことによって、前記バネ７によって開放した前記アーム体２ａの先端部がそれぞれ閉鎖した状態になるようにしている。
【００１３】
この発明の電球交換用シェード挟持具において、前記一対のアーム体２ａの一方を、前記操作体１の上端に固着することにより、前記挟持アーム２を操作体１の上端に設けたものとし、この一方のアーム体２ａを、前記操作体１の軸線方向に適宜の角度、傾斜させたものとしている。
【発明の効果】
【００１４】
この発明の電球交換用シェード挟持具は、以上に述べたように構成されており、電球に被せられたシェードが建物の梁や桁などから吊り下げられた電灯用コードやチェーンなどに取り付けられている場合に、その電球のシェードを動かないように挟持し、電球交換具の操作棒の上端に設けられた挟み部で電球を挟むときに、そのシェードと一緒に逃げないようにして、電球を挟み込むことができるようにしたので、その電球を容易に交換することができるものとなる。
【００１５】
さらに、この発明の電球交換用シェード挟持具は、電球交換具を使用して電球交換すれば、高所作業台を組立設置したり、高所作業車を現場に導入する必要はまったくなく、電球交換するのに広い場所が不要で、しかも作業時間もかかることがないので、高額な人件費や設備費の負担はないものとなる。
【図面の簡単な説明】
【００１６】
【図１】この発明の電球交換用シェード挟持具の第一実施形態を示しており、その挟持アームの閉鎖状態における全体斜視図である。
【図２】図１に示すこの発明の電球交換用シェード挟持具の挟持アームの開放状態における全体斜視図である。
【図３】図１に示すこの発明の電球交換用シェード挟持具の挟持アームの閉鎖状態の断面図である。
【図４】図１に示すこの発明の電球交換用シェード挟持具の挟持アームの開放状態の断面図である。
【図５】図１に示すこの発明の電球交換用シェード挟持具の挟持アームの分解斜視図である。
【図６】図１に示すこの発明の電球交換用シェード挟持具の使用状態を示す説明図である。
【図７】この発明の電球交換用シェード挟持具の第二実施形態を示しており、その挟持アームの開放状態における全体斜視図である。
【図８】図７に示すこの発明の電球交換用シェード挟持具の挟持アームの閉鎖状態における全体斜視図である。
【図９】図７に示すこの発明の電球交換用シェード挟持具の挟持アームの開放状態の断面図である。
【図１０】図７に示すこの発明の電球交換用シェード挟持具の挟持アームの閉鎖状態の断面図である。
【図１１】図７に示すこの発明の電球交換用シェード挟持具の挟持アームの分解斜視図である。
【図１２】図７に示すこの発明の電球交換用シェード挟持具の使用状態を示す説明図である。
【図１３】建物の梁や桁などから吊り下げられたチェーンに取り付けられている電球に、電球交換具を近付けた状態を示す説明図である。
【発明を実施するための形態】
【００１７】
以下、この発明の電球交換用シェード挟持具の実施の形態を、図面に基づいて詳細に説明する。
【００１８】
この発明の電球交換用シェード挟持具は、長尺の操作体１と、この操作体１の上端に設けられる挟持アーム２を備えたものとしている。
【００１９】
操作体１は、使用者が手に持った状態で、建物の梁や桁などから吊り下げられた電灯用コードやチェーンなどに取り付けられているシェードＳに、前記挟持アーム２が届く長さにしており、一本ものとしたり、複数の短棒や短管を継手などによって連結したものとしたり、複数の繰出し管より構成して伸縮自在としたものなどとすることができる。
【００２０】
挟持アーム２は、一対のアーム体２ａからなり、電球ＢのシェードＳを移動しないように挟持できるものとしており、一対のアーム体２ａの一方に連結された操作線条３により、前記操作体１の下端側からの遠隔操作によって、前記シェードＳを挟持した状態にしたり、このシェードＳの挟持を解除した状態にするようにしている。前記操作線条３は、操作しない時にはリール４などに巻き取られたものとし、操作する時にはこのリール４から繰り出せるようにしている。そして、操作する時には、リール４から繰り出した操作線条３を操作体１の下端側から引くことにより、遠隔操作できるようにしている。
【００２１】
前記一対のアーム体２ａは、図１〜図５に示したものでは、それぞれ金属や硬質合成樹脂からなる略直線状の板状体としており、先端部にそれぞれ挟持部材５を設け、それぞれを向かい合わせた状態にし、基端部側にそれぞれ対向して突設したフランジ部６をそれぞれ軸支して、この軸支部に設けたバネ７によってそれぞれのアーム体２ａの先端部が閉鎖した状態になるようにしている。前記アーム体２ａの一方は、基端部を延長して固着部材８を設け、この固着部材８を前記操作体１の上端に固着することにより、挟持アーム２を操作体１の上端に設けている。前記アーム体２ａの他方は、外方に向けて操作レバー９を突設し、この操作レバー９の先端に前記操作線条３を連結し、この操作線条３を下方に引くことによって、前記バネ７によって閉鎖した前記アーム体２ａの先端部がそれぞれ開放した状態になるようにしている。なお、前記操作体１の上端に固着した一方のアーム体２ａは、図示していないが、シェードＳの下周端部の傾斜角度に応じて、前記操作体１の軸線方向に適宜の角度、傾斜させたものとすることができる。
【００２２】
さらに、前記一対のアーム体２ａは、図７〜図１１に示したものでは、それぞれ金属や硬質合成樹脂からなる略Ｌ字状の板状体としており、先端部にそれぞれ挟持部材５を設け、それぞれを重ね合わせた状態にし、基端部をそれぞれ軸支して、この軸支部に設けたバネ７によってそれぞれのアーム体２ａの先端部が開放した状態になるようにしている。前記アーム体２ａの一方は、中間部に固着部材８を設け、この固着部材８を前記操作体１の上端に固着することにより、挟持アーム２を操作体１の上端に設けている。さらに、前記アーム体２ａの一方は、略Ｌ字状の下辺部寄りに対向して突設したフランジ部６に摺動孔１０をそれぞれ対向するようにして設けたものとしている。前記アーム体２ａの他方は、略Ｌ字状の下辺部寄りに対向して突設したフランジ部６間に支軸１１を設け、この支軸１１に連結リング１２を介して前記操作線条３を連結している。そして、前記アーム体２ａの支軸１１の両端部を、前記アーム体２ａの摺動孔１０にそれぞれ沿うようにし、前記操作線条３を下方に引くことによって、前記バネ７によって開放した前記アーム体２ａの先端部がそれぞれ閉鎖した状態になるようにしている。なお、前記操作体１の上端に固着した一方のアーム体２ａは、図示していないが、シェードＳの下周端部の傾斜角度に応じて、前記操作体１の軸線方向に適宜の角度、傾斜させたものとすることができる。
【００２３】
前記挟持部材５は、ゴムや軟質合成樹脂などのエラストマー、フェルトなどの繊維質からなるものとしており、前記アーム体２ａの先端部に差し込んだり、接着したものとしており、それぞれの向かい合う内面を細かな凹凸形状にして、前記シェードＳが滑り難く、安定した状態で挟持できるようにしている。さらに、この挟持部材５は、前記内面を細かな凹凸形状にした場合もしない場合も、その内面の上部を前記シェードＳと面接触するようにした平面部５ａとし、その内面の中間部を前記シェードＳと接触しないようにした凹部５ｂとし、さらにその内面の下部を前記シェードＳと線接触するようにした線状凸部５ｃとすることができる。このようにすることにより、前記挟持部材５の平面部５ａでシェードＳが強く挟まれ、挟持部材５の線状凸部５ｃでシェードＳがより強く挟まれ、このシェードＳがより滑り難く、より安定した状態で挟持できるようにしている。
【００２４】
以上のように構成したこの発明の電球交換用シェード挟持具は、天井などに配置された電球に被せられたシェードが建物の梁や桁などから吊り下げられた電灯用コードやチェーンなどに取り付けられている場合には、次のようにして使用する。
【００２５】
先ず、図１〜図５に示したこの発明の電球交換用シェード挟持具は、操作体１の下端を手に握り、操作線条３をリール５から繰り出した状態にし、挟持アーム２をシェードＳの下周端部に近付ける。そして、リール５から繰り出した操作線条３を操作体１の下端側から引く。すると、挟持アーム２のそれぞれのアーム体２ａの先端部が、図２に示したように開放するので、この開放したアーム体２ａの先端部をシェードＳの下周端部に当てる。そして、前記操作線条３を引くのを緩めると、バネ７によってそれぞれのアーム体２ａの先端部が閉鎖した状態になり、図６に示したように、前記シェードＳを挟持するようになる。
【００２６】
この状態で、手に持った操作体１を動かないようにしておくことにより、アーム体２ａに挟持されたシェードＳも動かないようにしておくことができる。そして、電球交換具Ｅの操作棒３１の下端を手に握り、その挟み部３２をシェードＳ内の電球Ｂの真下に近付け、この電球Ｂを挟み込む。次に、操作棒３１を回転させて、この電球Ｂを外し、手元に引き寄せ、挟み部３２から取り去る。そして、新しい電球Ｂをその挟み部３２に挟み込み、元の位置に戻し、再び操作棒３１を回転させながら、この新しい電球ＢをシェードＳ内に取り付ける。
【００２７】
そこで、前記操作線条３を、再び操作体１の下端側から引く。すると、挟持アーム２のそれぞれのアーム体２ａの先端部が再び開放するので、この状態で操作体１を手元に引き寄せることにより、前記アーム体２ａをシェードＳから取り外せば、電球の交換作業が一通り終了する。
【００２８】
次に、図７〜図１１に示したこの発明の電球交換用シェード挟持具は、操作体１の下端を手に握り、操作線条３をリール５から繰り出した状態にし、挟持アーム２をシェードＳの下周端部に近付け、開放したアーム体２ａの先端部をシェードＳの下周端部に当てる。そして、リール５から繰り出した操作線条３を操作体１の下端側から引く。すると、挟持アーム２のそれぞれのアーム体２ａの先端部が、図８に示したように閉鎖した状態になり、図１２に示したように、前記シェードＳを挟持するようになる。
【００２９】
この状態で、手に持った操作体１を動かないようにしておくことにより、アーム体２ａに挟持されたシェードＳも動かないようにしておくことができる。そして、電球交換具Ｅの操作棒３１の下端を手に握り、その挟み部３２をシェードＳ内の電球Ｂの真下に近付け、この電球Ｂを挟み込む。次に、操作棒３１を回転させて、この電球Ｂを外し、手元に引き寄せ、挟み部３２から取り去る。そして、新しい電球Ｂをその挟み部３２に挟み込み、元の位置に戻し、再び操作棒３１を回転させながら、この新しい電球ＢをシェードＳ内に取り付ける。
【００３０】
そこで、前記操作線条３を引くのを緩めると、バネ７によってそれぞれのアーム体２ａの先端部が再び開放するので、この状態で操作体１を手元に引き寄せることにより、前記アーム体２ａをシェードＳから取り外せば、電球の交換作業が一通り終了する。
【００３１】
なお、前記操作体１の上端に固着した一方のアーム体２ａを、シェードＳの下周端部の傾斜角度に応じて、操作体１の軸線方向に適宜の角度、傾斜させものでは、シェードＳの真下から近付けた電球交換具Ｅの操作棒３１と前記操作体１との間が適当なものとなり、大きく開きすぎて両者が手で持ちにくくなったり、両者が重なり合ったりして、互いに邪魔し合うようなことがなく、操作性に優れたものとなる。
【００３２】
以上に述べた通り、この発明の電球交換用シェード挟持具は、電球Ｂに被せられたシェードＳが建物の梁や桁などから吊り下げられた電灯用コードやチェーンなどに取り付けられている場合に、その電球ＢのシェードＳを動かないようにすることができ、電球交換具Ｅの操作棒３１の上端に設けられた挟み部３２で電球Ｂを挟むときには、そのシェードＳと一緒に逃げないようにして、電球Ｂを挟み込むことができるので、その電球Ｂを容易に交換することができるものとなる。
【００３３】
さらに、この発明の電球交換用シェード挟持具は、従来の電球交換具Ｅを使用して電球交換すれば、高所作業台を組立設置したり、高所作業車を現場に導入する必要はまったくなく、電球交換するのに広い場所が不要で、しかも作業時間もかかることがないので、高額な人件費や設備費の負担はないものとなる。
【符号の説明】
【００３４】
１  操作体
２  挟持アーム
２ａ  アーム体
３  操作線条
５  挟持部材
５ａ  平面部
５ｂ  凹部
５ｃ  線条凸部
７  バネ
Ｂ  電球
Ｓ  シェード
【図１】
2010272464.tif 000003
【図２】
2010272464.tif 000004
【図３】
2010272464.tif 000005
【図４】
2010272464.tif 000006
【図５】
2010272464.tif 000007
【図６】
2010272464.tif 000008
【図７】
2010272464.tif 000009
【図８】
2010272464.tif 000010
【図９】
2010272464.tif 000011
【図１０】
2010272464.tif 000012
【図１１】
2010272464.tif 000013
【図１２】
2010272464.tif 000014
【図１３】
2010272464.tif 000015